(57)【特許請求の範囲】
【請求項１】
原稿台上に積載された複数枚の原稿を最上部より一枚づつ分離して給紙する送り込みローラを有する自動給紙装置において、該原稿の給紙方向に対して該送り込みローラと略々同一位置または該送り込みローラより上流側に、かつ、該給紙方向に垂直な方向に対して該送り込みローラを挟んで両側に２本の補助ローラを配置し、該２本の補助ローラは、前記送り込みローラと同一方向に駆動力が加わらない状態で回転するともに、前記送り込みローラが原稿の表面に降着する前に該原稿の表面に押圧されることを特徴とする自動給紙装置。
【請求項２】
前記２本の補助ローラが同一連結軸によって連結されることを特徴とする請求項１記載の自動給紙装置。
【請求項３】
前記２本の補助ローラがスプリングクラッチを介して前記原稿表面に押圧されることを特徴とする請求項１または２記載の自動給紙装置。
【請求項４】
前記スプリングクラッチが、前記原稿の給紙方向に対して前記送り込みローラよりも下流側に配置され該送り込みローラによって繰り込まれた原稿を原稿搬送路に給紙する給紙ローラの駆動軸に設けられることを特徴とする請求項３記載の自動給紙装置。
【請求項５】
前記送り込みローラが、前記原稿の給紙方向に対して該送り込みローラよりも下流側に配置され該送り込みローラによって繰り込まれた原稿を原稿搬送路に給紙する給紙ローラとギア列によって連結されることを特徴とする請求項１乃至４のいずれかに記載の自動給紙装置。
【発明の詳細な説明】
【０００１】
【発明の属する技術分野】
本発明は自動給紙装置に関し、特に、ファクシミリ装置等における原稿搬送式読取機構に使用される給紙装置に関する。
【０００２】
【従来の技術】
ファクシミリ装置等の原稿搬送式読取機構は、原稿台上に積載された複数枚の原稿を自動給紙装置により１枚づつ分離し、一定速度で読み取り部を移動させることで画像を読み取ることができる。この自動給紙装置では、ゴムローラと原稿との間の摩擦力と、載積されている原稿間の摩擦力の違いを利用することにより原稿が１枚づつ分離される。
【０００３】
図７、図８に示すように、実開昭６３−８４０４１号公報等に記載の従来の自動給紙装置２１は、給紙方向Ｘに対して給紙ローラ２３の下流側に、この給紙ローラ２３を中心として回転可能に支持された送り込みローラ２２を有するとともに、給紙ローラ２３に接するとともに、給紙ローラ２３と逆方向に回転する分離ローラ２４を有する。
【０００４】
また、自動給紙装置２１には、これらのローラ２２、２３、２４を保持するとともに、原稿２７の原稿搬送路２９を形成するフレーム２５Ａ、２５Ｂと、原稿２７の束を載積するための原稿台２６が備えられる。
【０００５】
送り込みローラ２２は、給紙時にまず給紙ローラ２３の駆動によるモーメント及び自重により、図８において２点鎖線で示された位置からＹ方向に回転して原稿２７の表面上に降着する。この送り込みローラ２２には、ギヤ列２８を介して給紙ローラ２３の駆動力が伝えられ、最上部の原稿２７が繰り込まれる。その後、原稿２７は給紙ローラ２３に達し、Ｚ方向に回転するこの給紙ローラ２３によって原稿搬送路２９に搬送される。この際、複数枚の原稿２７が繰り込まれた場合には、分離ローラ２４により最上部の原稿２７以外は搬送されないように構成されている。
【０００６】
【発明が解決しようとする課題】
上述のように、実開昭６３−８４０４１号公報等に記載の技術では、送り込みローラ２２が原稿２７の表面を押さえることで、給紙部（給紙ローラ２３と分離ローラ２４の間）での原稿２７の斜行を抑制している。
【０００７】
しかしながら、送り込みローラ２２は、回転しながら原稿２７の表面上に降着するため、原稿２７の表面に降着した際の搬送力の不均一により、原稿２７の斜行が発生する場合がある。
【０００８】
また、送り込みローラ２２の降着面に原稿２７のシワや折れが存在する場合は、ほとんどの場合斜行が発生する。さらに、送り込みローラ２２は原稿２７の中央に配置しなければならず、送り込みローラ２２を原稿の中央からいずれかの側面にずれた位置に設けるいわゆる片側寄せ給紙機構の場合には、上記構成を適用することはできない。
【０００９】
さらに、特開昭６３−２７２７２９号公報に記載の自動給紙装置、及び実開平４−７７５３７号公報に記載の画像形成装置の給紙装置においても、給紙時における原稿の斜行を防止するための構成が開示されているが、それぞれ給紙補助ローラまたはナジャーラローラが回転しながら原稿の表面上に降着するため、これらのローラが原稿の表面に降着した際の搬送力の不均一により、原稿の斜行が発生する場合がある。
【００１０】
そこで、本発明は上記問題点に鑑みてなされたものであって、前記送り込みローラ２２等が回転しながら原稿の表面に降着した際に発生する原稿の斜行を防止することのできる自動給紙装置を提供することを目的とする。また、本発明は前記目的に加え、片側寄せの給紙機構にも適用することのできる自動給紙装置を提供することを目的とする。
【００１１】
【課題を解決するための手段】
請求項１記載の発明は、自動給紙装置であって、原稿台上に積載された複数枚の原稿を最上部より一枚づつ分離して給紙する送り込みローラを有する自動給紙装置において、該原稿の給紙方向に対して該送り込みローラと略々同一位置または該送り込みローラより上流側に、かつ、該給紙方向に垂直な方向に対して該送り込みローラを挟んで両側に２本の補助ローラを配置し、該２本の補助ローラは、前記送り込みローラと同一方向に駆動力が加わらない状態で回転するともに、前記送り込みローラが原稿の表面に降着する前に該原稿の表面に押圧されることを特徴とする。
【００１２】
請求項２記載の発明は、前記２本の補助ローラが同一連結軸によって連結されることを特徴とする。
請求項３記載の発明は、前記２本の補助ローラがスプリングクラッチを介して前記原稿表面に押圧されることを特徴とする。
【００１３】
請求項４記載の発明は、前記スプリングクラッチが、前記原稿の給紙方向に対して前記送り込みローラよりも下流側に配置され該送り込みローラによって繰り込まれた原稿を原稿搬送路に給紙する給紙ローラの駆動軸に設けられることを特徴とする。
【００１４】
請求項５記載の発明は、前記送り込みローラが、前記原稿の給紙方向に対して該送り込みローラよりも下流側に配置され該送り込みローラによって繰り込まれた原稿を原稿搬送路に給紙する給紙ローラとギア列によって連結されることを特徴とする。
【００１５】
そして、請求項１記載の発明によれば、送り込みローラが原稿の表面に降着するときには、すでに補助ローラがこの原稿表面を押圧しているため、回転する送り込みローラにより原稿表面に不均一な搬送力が発生しても原稿が斜行することはない。
【００１６】
請求項２記載の発明によれば、２本の補助ローラが同一連結軸によって連結されているため、２本の補助ローラが同一の速度で回転し、これらの補助ローラ自身により発生する可能性のある原稿の斜行を防止することができる。
【００１７】
請求項３記載の発明によれば、２本の補助ローラがスプリングクラッチを介して前記原稿表面に押圧されるため、２本の補助ローラが一定の圧力で原稿を押圧することができ、補助ローラを中心にして原稿２７が傾斜することを防止できる。
【００１８】
請求項４記載の発明によれば、前記スプリングクラッチが、前記原稿の給紙方向に対して前記送り込みローラよりも下流側に配置され該送り込みローラによって繰り込まれた原稿を原稿搬送路に給紙する給紙ローラの駆動軸に設けられるため、給紙ローラの駆動軸によってスプリングクラッチの取付軸を兼用することができる。
【００１９】
請求項５記載の発明によれば、送り込みローラが、前記原稿の給紙方向に対して該送り込みローラよりも下流側に配置され送り込みローラによって繰り込まれた原稿を原稿搬送路に給紙する給紙ローラとギア列によって連結されるため、１本の駆動軸により給紙ローラと送り込みローラを同時に回転させることができる。
【００２０】
【発明の実施の形態】
次に、本発明にかかる自動給紙装置の実施の形態の具体例を図面を参照しながら説明する。
まず、図１及び図２を参照しながら、本発明にかかる自動給紙装置の第１実施例を説明する。この自動給紙装置１は、送り込みローラ２と、給紙ローラ３と、分離ローラ４と、補助ローラ５Ａ、５Ｂと、原稿台６等で構成される。
【００２１】
送り込みローラ２は、最上部の原稿２７を繰り込み、給紙ローラ３まで移動させるために設けられ、給紙方向Ｘに対して給紙ローラ３の上流側に配置される。この送り込みローラ２は、駆動軸９を中心として回転可能なフレーム１０の端部の間に設けられ、給紙ローラ３の駆動力がギヤ列８を介して送り込みローラ２に伝達され、給紙ローラ３と同一方向（矢印Ａ方向）に回転するように構成される。
【００２２】
給紙ローラ３は、送り込みローラ２によって繰り込まれた原稿２７を原稿搬送路２９に供給するために設けられ、駆動力を伝える駆動軸９に固定され、矢印Ａで示す方向に回転する。この給紙ローラ３は、分離ローラ４と相対向する位置に配置される。
【００２３】
分離ローラ４は、複数枚の原稿２７が給紙ローラ３に繰り込まれた場合に、最上部の原稿２７以外は搬送されないようにするため設けられる。この分離ローラ４は、原稿搬送路２９を挟んで給紙ローラ３と相対向する位置に配置され、給紙ローラ３に接してこの給紙ローラ３の回転方向とは逆方向（矢印Ｂ方向）に回転する。
【００２４】
補助ローラ５Ａ、５Ｂは、駆動軸９の回転中心軸を中心として回転可能なアーム１２の先端部に設けられ、送り込みローラ２と同一方向（矢印Ａ方向）に駆動力が加わらない状態で回転する。この補助ローラ５Ａ、５Ｂは、原稿２７の給紙方向Ｘに対して送り込みローラ２より上流側に、かつ給紙方向Ｘに垂直な方向に対して送り込みローラ２を挟んで両側に配置される。
【００２５】
補助ローラ５Ａ、５Ｂは、駆動軸９に設置されたスプリングクラッチ１１とアーム１２を介して保持される。アーム１２の先端には連結軸１３が滑らかに回転するようにメタル性含油軸受が設けられる。補助ローラ５Ａ、５Ｂには対紙摩擦係数が大きなゴム材が使用され、図３に示すように、補助ローラ５Ａ、５Ｂ及び連結軸１３は一体的に形成される。尚、アーム１２の先端にメタル性含油軸受を設ける代わりに、連結軸１３自体を含油モールドで成形してもよい。
【００２６】
図２に示すように、上フレーム１４Ａ及び下フレーム１４Ｂは、それぞれ、給紙ローラ３及び分離ローラ４を保持し、両フレーム１４Ａ、１４Ｂの間に原稿搬送路２９が形成される。また、原稿台６は、原稿２７の束を載積するために設けられ、下フレーム１４Ｂと一体的に形成される。
【００２７】
次に、上記構成を有する自動給紙装置１の動作を図１及び図２を参照しながら説明する。
原稿台６に原稿２７の束が載積された状態で駆動軸９に駆動力が伝えられると、給紙ローラ３がＡ方向に回転するとともに、スプリングクラッチ１１及びアーム１２を介して補助ローラ５Ａ、５Ｂが下降する。原稿２７の表面上に達した補助ローラ５Ａ、５Ｂは、スプリングクラッチ１１のトルクによって原稿２７の表面を押圧した状態で静止する。これと同時に、送り込みローラ２も原稿２７の表面上に降着する。
【００２８】
この時、送り込みローラ２が補助ローラ５Ａ、５Ｂよりも速く原稿２７の表面上に達しないように、ギヤ列８の減速比が調整される。送り込みローラ２が原稿２７の表面に降着すると同時に原稿２７の束の最上部の原稿２７が繰り込まれ、給紙ローラ３に向かって搬送される。この時、最上部の原稿２７に接している補助ローラ５Ａ、５Ｂは給紙方向に連れ回りする。
【００２９】
ここで、図４のＣで示すように、送り込みローラ２と原稿２７の表面が不均一な状態で接した場合、接触面積が広い側の送り力Ｆ１が狭い側の送り力Ｆ２よりも大きくなるため、原稿は矢印Ｄの方向へ傾き、２点鎖線で示す位置に移動しようとする。しかし、補助ローラ５Ａ、５Ｂがこの原稿を押圧しているため、矢印Ｄ方向への傾きが抑制される。従って、原稿２７は常時セットされた状態を保ちながら原稿搬送路２９へ搬送される。
【００３０】
また、補助ローラ５Ａ、５Ｂを送り込みローラ２の両側に２本配置することにより、補助ローラ５Ａ、５Ｂ自体の不均一な押圧状態による斜行が防止される。この補助ローラが１本の場合には、送り込みローラ２と芯が一致するように補助ローラを配置しなけらばならない。両者の芯がずれると原稿２７に回転モーメントが加わり原稿が斜行するからである。
【００３１】
また、補助ローラ５Ａ、５Ｂが不均一に原稿２７に対して押圧されると、補助ローラ５Ａ、５Ｂを中心にして原稿２７が傾斜するため、補助ローラ５Ａ、５Ｂを原稿２７に対して均一に押圧する必要がある。以上のようにして、補助ローラ５Ａ、５Ｂによって原稿搬送方向以外の原稿２７の自由度を全て制御することができる。
【００３２】
次に、図５及び図６を参照しながら、本発明にかかる自動給紙装置の第２実施例を説明する。本実施例においては、送り込みローラ２の両端に補助ローラ５Ａ、５Ｂのアーム１６を設置し、このアーム１６をコイルスプリング１７で押圧するように構成したものであり、その他の部分については第１実施例の場合と同様に構成されている。この構成により、第１実施例におけるスプリングクラッチ１１を省くことができる。
【００３３】
尚、上記両実施例においては、補助ローラ５Ａ、５Ｂを原稿２７の給紙方向Ｘに対して送り込みローラ２より上流側に配置したが、送り込みローラ２と略々同一位置に配置することも可能である。
【００３４】
【発明の効果】
請求項１記載の発明によれば、回転する送り込みローラにより原稿表面に不均一な搬送力が発生しても、原稿が斜行することのない給紙装置を提供することができる。
【００３５】
請求項２記載の発明によれば、補助ローラ自身により発生する可能性のある原稿の斜行を防止することができる自動給紙装置を提供することができる。
請求項３記載の発明によれば、２本の補助ローラによって原稿搬送方向以外の原稿の自由度を全て制御することのできる自動給紙装置を提供することができる。
【００３６】
請求項４記載の発明によれば、給紙ローラの駆動軸によってスプリングクラッチの取付軸を兼用することができるため、簡易な構成により原稿が斜行することのない給紙装置を提供することができる。
【００３７】
請求項５記載の発明によれば、１本の駆動軸により給紙ローラと送り込みローラを同時に回転させることができるため、簡易な構成により原稿が斜行することのない給紙装置を提供することができる。
【図面の簡単な説明】
【図１】本発明にかかる自動給紙装置の第１実施例を示す上面図である。
【図２】図１に示す自動給紙装置のＩ−Ｉ線断面図である。
【図３】図１に示す自動給紙装置に使用される補助ローラの断面図である。
【図４】原稿の斜行が発生するメカニズムを示す概略図である。
【図５】本発明にかかる自動給紙装置の第２実施例を示す上面図である。
【図６】図４に示す自動給紙装置のＩＩ−ＩＩ線断面図である。
【図７】従来の自動給紙装置の上面図である。
【図８】図７の自動給紙装置のＩＩＩ−ＩＩＩ線断面図である。
【符号の説明】
１            自動給紙装置
２            送り込みローラ
３            給紙ローラ
４            分離ローラ
５Ａ、５Ｂ    補助ローラ
６            原稿台
８            ギヤ列
９            駆動軸
１０          フレーム
１１          スプリングクラッチ
１２、１６    アーム
１３          連結軸
１４Ａ        上フレーム
１４Ｂ        下フレーム
１７          コイルスプリング
２７          原稿
２９          原稿搬送路
【図１】
0003607467.tif 000002
【図２】
0003607467.tif 000003
【図３】
0003607467.tif 000004
【図４】
0003607467.tif 000005
【図５】
0003607467.tif 000006
【図６】
0003607467.tif 000007
【図７】
0003607467.tif 000008
【図８】
0003607467.tif 000009